(57)【要約】【課題】インクカートリッジの差圧弁の内部に残るインクの量を低減することができ、さらに、差圧弁の内部に流路を確保することにより、圧力に対する応答性をよくする。【解決手段】液体を収容する液体収容部１０１と、液体収容部１０１内の液体を外部に供給する液体供給部１１０と、を有する液体カートリッジ本体１２０に収容され、液体収容部１０１と液体供給部１１０とに所定の圧力差が生じた場合に開弁する差圧弁ユニット１３０であって、圧力差に基づいて弾性変形により可動する膜弁１４０と、膜弁１４０を保持するとともに該膜弁１４０の間に下流圧力室１６５を形成する弁蓋１６０と、を有し、弁蓋１６０は、下流圧力室１６５を形成すると共に液体供給部１１０に連通する連通孔１６４ａを有する対向面１６１が、膜弁１４０の可動範囲に対応した形状を有すると共に、連通孔１６４ａに向かって液体を流れやすくするための溝部１６３を備える。【選択図】図３
2007185940.tif 000002
【特許請求の範囲】
【請求項１】
液体を収容する液体収容部と、前記液体収容部内の液体を外部に供給する液体供給部と、を有する液体カートリッジ本体に収容され、
前記液体収容部と前記液体供給部とに所定の圧力差が生じた場合に開弁する膜弁と、
前記膜弁を保持するとともに該膜弁の間に下流圧力室を形成する第１部材と、を有し、
前記第１部材は、前記下流圧力室を形成すると共に前記液体供給部に連通する連通孔を有する対向面が、前記膜弁の可動範囲に対応した形状を有すると共に、前記連通孔に向かって前記下流室内の液体を流れやすくするための溝部を備えることを特徴とする差圧弁ユニット。
【請求項２】
前記溝部は、中心線の延長線が前記連通孔と交差するように設けられていることを特徴とする請求項１に記載の差圧弁ユニット。
【請求項３】
前記溝部は、前記連通孔と交差するように設けられていることを特徴とする請求項１に記載の差圧弁ユニット。
【請求項４】
前記第１部材が略円盤状に形成され、前記溝部が前記対向面の直径方向に沿って設けられていることを特徴とする請求項１乃至３のいずれか一項に記載の差圧弁ユニット。
【請求項５】
前記溝部は、略直線状に設けられていることを特徴とする請求項１乃至４のいずれか一項に記載の差圧弁ユニット。
【請求項６】
前記溝部は、略環状に設けられていることを特徴とする請求項１乃至４のいずれか一項に記載の差圧弁ユニット。
【請求項７】
前記溝部は、複数設けられることを特徴とする請求項１乃至６のいずれか一項に記載の差圧弁ユニット。
【請求項８】
前記膜弁の可動範囲に対応した形状は、中央部が深く周辺部が浅いすり鉢状の形状であることを特徴とする請求項１乃至７のいずれか一項に記載の差圧弁ユニット。
【請求項９】
前記膜弁と前記第１部材との間に挟まれ、前記膜弁を閉弁方向へ付勢する付勢部材を有することを特徴とする請求項１乃至８のいずれか一項に記載の差圧弁ユニット。
【請求項１０】
前記第１部材は、弁蓋であることを特徴とする請求項１乃至９のいずれか一項に記載の差圧弁ユニット。
【請求項１１】
前記液体カートリッジは、インクカートリッジであることを特徴とする請求項１乃至１０のいずれか一項に記載の差圧弁ユニット。
【発明の詳細な説明】
【技術分野】
【０００１】
本発明は、液体カートリッジ本体に収容される差圧弁ユニットに関し、特に、インクジェット式記録装置に用いるインクカートリッジに取り付けられ差圧弁ユニットの構造に関する。
【背景技術】
【０００２】
インクジェット式記録装置は、インクを収容したインクカートリッジが、インクジェット式記録装置のホルダに装着されることにより、記録ヘッドへインクが供給される。
このようなインクカートリッジにおいて、インクを収容したインク収容部とインクを供給するインク供給部とに所定の圧力差が生じた場合に開弁する弁部材を有する差圧弁ユニットがインクカートリッジに取り付けられているものがある。なお、ここで述べるインクカートリッジは液体カートリッジの一例である。
【０００３】
例えば、特許文献１の差圧弁ユニットは、圧力差に基づいて弾性変形可能で、かつ円筒形状の周縁部を有する弁部材と、弁部材の周縁部の内側に挿入されることにより周縁部を固定する略円筒形状の弁部材保持部を有する弁蓋と、弁部材と弁蓋との間に挟まれ、弁部材を弁蓋から遠ざける方向へ付勢する付勢部材とを備えている。
【特許文献１】特開２００４−２３７７２０号公報
【発明の開示】
【発明が解決しようとする課題】
【０００４】
上記のようなインクカートリッジの差圧弁ユニットでは、弁部材である膜弁と弁蓋との間の下流圧力室が空になると差圧弁が正常に動作しなくなるため、下流圧力室内にインクが残った状態でインクエンドとしなければならない。ところが、従来の差圧弁ユニットは下流圧力室の空間が比較的大きく、インクエンドとしたときに、下流圧力室内に大量のインクが残るという問題があった。
この問題を解決するために、膜弁と弁蓋との間の下流圧力室の空間を狭くするような形状とすることが考えられるが、下流圧力室の空間が狭くなると、下流圧力室内から液体を排出するときの液体の流れが悪くなるため、差圧弁ユニットにかかる圧力に対する応答性が悪くなってしまう。
【０００５】
本発明は、このような事情に鑑みてなされたものであり、その目的は、液体カートリッジの差圧弁の下流圧力室内に残る液体の量を低減すると共に、差圧弁ユニットにかかる圧力に対する応答性をよくすることができる差圧弁ユニットおよびその差圧弁ユニットを備えた液体カートリッジを提供することである。
【課題を解決するための手段】
【０００６】
本発明の上記目的は、液体を収容する液体収容部と、前記液体収容部内の液体を外部に供給する液体供給部と、を有する液体カートリッジ本体に収容され、
前記液体収容部と前記液体供給部とに所定の圧力差が生じた場合に開弁する膜弁と、
前記膜弁を保持するとともに該膜弁の間に下流圧力室を形成する第１部材と、を有し、
前記第１部材は、前記下流圧力室を形成すると共に前記液体供給部に連通する連通孔を有する対向面が、前記膜弁の可動範囲に対応した形状を有すると共に、前記連通孔に向かって前記下流室内の液体を流れやすくするための溝部を備えることを特徴とする差圧弁ユニットにより達成される。
上記構成によれば、膜弁が開弁状態のとき、膜弁が圧力を受けて変形しても第１部材と干渉しない。このため、膜弁の移動を阻害することなく、膜弁内部の容積を減らせるので、液体残量を減らすことができる。さらに、溝部によって、液体の流路を確保することができ、溝部を伝って液体供給部に連通する連通孔に液体が移動できるので、膜弁の圧力に対する開閉の応答性が良くなる。
【０００７】
さらに、前記溝部は、中心線の延長線が前記連通孔と交差するように設けられていることが望ましい。
上記構成によれば、溝部を通って連通孔に向かう液体の移動が円滑に行われる。
【０００８】
また、前記溝部は、前記連通孔と交差するように設けられていることが望ましい。
上記構成によれば、溝部から連通孔に向かう液体の移動をさらに円滑に行われる。
【０００９】
また、前記第１部材が略円盤状に形成され、前記溝部が前記対向面の直径方向に沿って設けられていることが望ましい。
上記構成によれば、略円盤状に形成された第１部材において、その直径方向への液体の移動が円滑に行われるので、連通孔から遠い箇所にある液体の排出を円滑に行うことができる。
【００１０】
また、前記溝部は、略直線状に設けられていることが望ましい。
上記構成によれば、溝部が直線的な流路となるので、連通孔に向かう液体の移動距離が比較的短い距離となる。
【００１１】
また、前記溝部は、略環状に設けられていることが望ましい。
上記構成によれば、前記対向面の比較的広い範囲に亘って、液体の移動が円滑に行われる。
【００１２】
また、前記溝部は、複数設けられることが望ましい。
上記構成によれば、複数の溝部によって液体の流路を複数確保することができ、前記対向面の比較的広い範囲に亘って、液体の移動をより円滑に行うことができる。
【００１３】
また、前記膜弁の可動範囲に対応した形状は、中央部が深く周辺部が浅いすり鉢状の形状であることが望ましい。
上記構成によれば、膜弁が開弁状態のとき、膜弁が圧力を受けてその中央部が深くへこみ、周辺部が浅くへこむように変形したときに、第１部材の対向面と干渉しないため、膜弁の移動を阻害することなく、膜弁内部の容積を減らせるので、インク残量を減らすことができる。
【００１４】
また、前記膜弁と前記第１部材との間に挟まれ、前記膜弁を閉弁方向へ付勢する付勢部材を有することが望ましい。
上記構成によれば、付勢部材による付勢力により荷重が安定化し、差圧弁の開閉動作が確実となり、発生圧力の精度を高めることができる。
【００１５】
また、前記第１部材は、弁蓋であることが望ましい。
上記構成によれば、膜弁が開弁状態のとき、膜弁が圧力を受けて変形しても弁蓋と干渉しない。このため、膜弁の移動を阻害することなく、膜弁内部の容積を減らせるので、液体残量を減らすことができる。
【００１６】
また、前記液体カートリッジは、インクカートリッジであることにより、例えば、インクジェット式記録装置に使用される液体残量の少ないインクカートリッジを得ることができる。そして、このインクカートリッジへのインク注入工程において、差圧弁内部にインクを充填し易くなる。
【発明の効果】
【００１７】
本発明によれば、第１部材の下流圧力室を形成している対向面の形状が膜弁の可動範囲に対応した形状であるので、下流圧力室内部に残る液体の量を低減することができ、かつ対向面には連通孔に向かって液体を流れやすくする溝部を設けたので、下流圧力室の液体が連通孔を介して流れやすくなるので、差圧弁ユニットの圧力に対する応答性をよくすることができる。
また、前述の差圧弁ユニットを有する液体カートリッジにより、例えば、インクジェット式記録装置に使用される液体残量の少ないインクカートリッジを得ることができる。そして、このインクカートリッジへのインク注入工程において、差圧弁内部にインクを充填し易くなる。
【発明を実施するための最良の形態】
【００１８】
以下、本発明の実施形態の差圧弁ユニットについて、図面を参照して詳細に説明する。
【００１９】
（第１の実施形態）
本実施の形態は第１部材を差圧弁ユニットの弁蓋とした例である。
図１は、第１の実施形態の差圧弁ユニットを備えたインクカートリッジの分解斜視図である。図２は、図１のインクカートリッジにおけるＡ−Ａ断面を示す断面図である。図３は、図２の差圧弁ユニットの拡大断面図である。図４は、差圧弁ユニットの弁蓋を示す斜視図である。
【００２０】
図１に示すように、インクカートリッジ（液体カートリッジ）１００のインクカートリッジ本体（液体カートリッジ本体）１２０内部は、リブや壁により区画されており、インクを収容するインク収容部（液体収容部）１０１と、インク収容部１０１からインク供給部（液体供給部）１１０までのインク流路部と、インク収容部１０１を大気に連通させるインク側通路、大気弁収容部及び大気側通路からなる大気連通部とを備えている。インクカートリッジ１００はさらに、インク供給制御手段である差圧弁ユニット１３０を備えている。
【００２１】
インク供給部１１０は、インクカートリッジ１００の下面に配され、インクカートリッジ１００が装着されるホルダのインク供給針が挿入されて、インク収容部１０１に収容されたインクをインクジェット式記録装置の記録ヘッドへ供給する。
【００２２】
インク供給制御手段である差圧弁ユニット１３０は、インクの消費に伴って発生するインク収容部１０１とインク供給部１１０との圧力差により、インク収容部１０１のインクをインク供給部１１０へ供給する。
【００２３】
差圧弁ユニット１３０は、弾性変形可能であって、差圧弁ユニット収容部１５０に挿入される膜弁１４０と、差圧弁ユニット収容部１５０を覆う弁蓋１６０と、膜弁１４０および弁蓋１６０の間に付勢部材としてコイルバネ１３３とを有する。
【００２４】
図３に示すように、差圧弁ユニット１３０の膜弁１４０は、略円筒形状を有する周縁部１４１と、周縁部１４１の近傍に配される肉厚部１４２と、肉厚部１４２に囲まれ、弾性変形する本体部１４３と、本体部１４３の中央、すなわち、本体部１４３においてコイルバネ１３３が当接する位置に弁蓋１６０に向けて突起する弁蓋側凸部１４４と、差圧弁ユニット収容部１５０の壁面１５１の通孔１５２に向けて突起する本体側凸部１４５を有する。
【００２５】
この膜弁１４０は、インクカートリッジ本体１２０よりも柔らかく、弾性を有する材料、例えばエラストマを用いて成形される。弁蓋側凸部１４４は略円筒形状を有し、断面の外径は、弁蓋側凸部１４４をコイルバネ１３３に組み付ける前の状態において、コイルバネ１３３の内径よりも僅かに大きい。よって、弁蓋側凸部１４４がコイルバネ１３３の一端に挿入されることにより、膜弁１４０に対してコイルバネ１３３が正確に位置決めされ保持される。
【００２６】
図４に示すように、差圧弁ユニット１３０の弁蓋１６０は、略円筒形状を有し、膜弁１４０の周縁部１４１を保持する凹部１６６及びコイルバネ１３３を保持するバネ受け部１６７と、弁蓋１６０の周りに配される略円筒形状の壁面当接部１６２を有する。
【００２７】
弁蓋１６０の膜弁１４０に対する対向面１６１は、膜弁の可動範囲に対応した形状、すなわち、すり鉢状になっており、膜弁１４０が圧力を受けて変形しても弁蓋１６０と干渉しないようになっている。
この対向面１６１には、後述の連通部１６４に通ずる連通孔１６４ａが設けられている。対向面１６１の中央部にはバネ受け部１６７が設けられているので、連通孔１６４ａはこの中央部から離れた位置に設けられており、この連通孔１６４ａに液体を流れやすくするために、対向面１６１の直径方向に沿って２本の溝部１６３，１６３が設けられている。そして、２本の溝部１６３，１６３のうちの一つが連通孔１６４ａと交差するように設けられている。
【００２８】
弁蓋１６０の略円筒形状の外径は、膜弁１４０の周縁部１４１が組み付けられる前の状態において、膜弁１４０の周縁部１４１の内径よりも僅かに大きい。
【００２９】
また、弁蓋１６０における壁面当接部１６２の内径は、膜弁１４０の周縁部１４１の外径よりも大きい。よって、弁蓋１６０と膜弁１４０との間にコイルバネ１３３が挟まれた状態で、膜弁１４０の周縁部１４１が凹部１６６に挿入されることにより、弁蓋１６０は、周縁部１４１を内側から広げる向きに付勢し、膜弁１４０が弁蓋１６０に保持される。
【００３０】
なお、弁蓋１６０の外径は、膜弁１４０の周縁部１４１が弁蓋１６０に組み込まれる前の状態において、一部のみが周縁部１４１の内径よりも大きく、他の部分が小さくてもよい。
【００３１】
弁蓋１６０はさらに、膜弁１４０が取り付けられる側から外フィルム１２１が貼られる側まで貫通する連通部１６４を有する。
これにより、弁蓋１６０が膜弁１４０と共にインクカートリッジ本体１２０に取り付けられた場合に、弁蓋１６０と膜弁１４０とにより構成される下流圧力室１６５が、連通部１６４を介してインク供給部１１０と連通する。
なお、連通部１６４は、通孔１５２のすぐ下流に配された下流側インク供給孔１７４とも連通する。
【００３２】
差圧弁ユニット収容部１５０の壁面１５１には、差圧弁ユニット収容部１５０の側からみた場合に、通孔１５２、１７５を囲む外周に沿って円環形状の環状突起１７６が設けられる。
【００３３】
環状突起１７６は、膜弁１４０が取り付けられる方向へ突出し、図３に示す断面において、膜弁１４０が取り付けられる方向へ先細りする楔形状を有する。
【００３４】
また、環状突起１７６よりも膜弁１４０の肉厚部１４２は柔らかいので、差圧弁ユニットが、差圧弁ユニット収容部１５０の壁面１５１に近い方から膜弁１４０および弁蓋１６０の順となる向きで差圧弁ユニット収容部１５０へ挿入されると、環状突起１７６の先端が膜弁１４０の肉厚部１４２に圧接されて食い込む。
これにより、壁面１５１、環状突起１７６および膜弁１４０により通孔１７５と連通した上流圧力室１７０が形成される。
【００３５】
環状突起１７６は、膜弁１４０の肉厚部１４２を挟んで、弁蓋１６０と対向して配される。これにより、弁蓋１６０は肉厚部１４２と当接して肉厚部１４２を環状突起１７６に押し付ける。膜弁１４０が上流圧力室１７０の周りを確実に密封することができる。
【００３６】
差圧弁ユニット収容部１５０を形成する内周壁１７１と弁蓋１６０の壁面当接部１６２の外周とは略同一形状を有する。
【００３７】
また、弁蓋１６０の壁面当接部１６２が壁面１５１に当接した場合の弁蓋１６０と壁面１５１との距離は、壁面１５１から環状突起１７６の先端までの高さと膜弁１４０の肉厚部１４２の厚さとの和よりもわずかに小さい。
【００３８】
よって、弁蓋１６０の外側の面１７２が、弁蓋１６０の周囲におけるインクカートリッジ本体１２０の壁面よりも僅かに突出する。
【００３９】
この弁蓋１６０の外側の面１７２およびインクカートリッジ本体１２０の壁面を覆い、弁蓋１６０の外側の面を付勢する外フィルム１２１が貼られる。
これにより、外フィルム１２１が、弁蓋１６０を差圧弁ユニット収容部１５０側に付勢する。よって、弁蓋１６０がより確実に差圧弁ユニット収容部１５０に取り付けられると共に、環状突起１７６と膜弁１４０との密封性を高めることができる。
【００４０】
インクカートリッジ本体１２０の通孔１５２の周囲には、膜弁１４０側に突出し、膜弁１４０の本体側凸部１４５と当接する通孔凸部１５２ａが設けられる。
これにより、インクを供給しない場合において膜弁１４０の本体側凸部１４５が通孔凸部１５２ａに当接して通孔１５２を確実に塞ぐことができる。
【００４１】
上流圧力室１７０は、通孔１７５を介して上流側インクタンク１７３と連通しており、上流側インクタンク１７３より差圧弁ユニット１３０へインクが供給される。
【００４２】
以上のように、膜弁１４０およびコイルバネ１３３が弁蓋１６０に保持されて差圧弁ユニット１３０を形成している。
【００４３】
図５は、差圧弁ユニット１３０の弁の開閉状態を説明する図であり、（ａ）は差圧弁ユニット１３０の弁が閉まっている状態、（ｂ）は差圧弁ユニット１３０の弁が開いている状態を示す断面図である。
【００４４】
図５（ａ）に示すように、閉弁状態では、膜弁１４０の本体側凸部１４５がコイルバネ１３３の付勢力により通孔１５２の通孔凸部１５２ａに当接して通孔１５２を閉鎖しているので、インク収容部１０１のインクがインク供給部１１０へ流れ出すことが阻止されている。
【００４５】
インクカートリッジ１００が装着されたインクジェット式記録装置の記録ヘッドにより、インク供給部１１０からインクが消費されると、インク供給部１１０側のインクの圧力が低下し、模式的に図２に示す連通部１８１、１８２を経由して下流側圧力室１６５の圧力が低下する。
【００４６】
一方、膜弁１４０における上流圧力室１７０側の面において、下流側インク供給孔１７４を介して通孔１５２の近傍の圧力が低下するが、通孔１７５の周辺の圧力は低下しない。
よって、膜弁１４０の表裏に発生した圧力差による力が、コイルバネ１３３による膜弁１４０に与えられる付勢力よりも大きくなると、図５（ｂ）に示したように、膜弁１４０の本体側凸部１４５が通孔凸部１５２ａから離れ、通孔１５２が開放される。
これにより、インクが、上流側インクタンク１７３、通孔１７５、上流圧力室１７０、下流側インク供給孔１７４の順に流れ、インク供給部１１０から記録ヘッドに供給される。
【００４７】
図５（ｂ）に示す開弁状態において、インクが下流側インク供給孔１７４を介して下流側圧力室１６５およびインク供給部１１０に供給されることにより、下流側圧力室１６５と上流側インクタンク１７３との圧力差が解消される。これにより、コイルバネ１３３の付勢力で押し戻されて、膜弁１４０の本体側凸部１４５が通孔１５２を閉鎖して、上流圧力室１７０との間を遮断する。以上の動作を繰り返すことにより、インク収容部１０１に収容されたインクがインクジェット式記録装置へ供給される。
【００４８】
本実施形態では、弁蓋１６０の膜弁１４０に対する対向面１６１が膜弁の可動範囲に対応した形状、すなわち、すり鉢状になっており、図５（ｂ）に示す開弁状態のとき、膜弁１４０が圧力を受けて変形しても弁蓋１６０と干渉しない。このため、膜弁１４０の移動を阻害することなく、膜弁内部の容積を減らせるので、インク残量を減らすことができる。また、差圧弁内部の容積を減らすと、インク注入工程において、差圧弁内部にインクを充填しやすくなる。
【００４９】
弁蓋１６０の膜弁１４０に対する対向面１６１には、連通孔１６４ａに液体を流れやすくするための溝部１６３，１６３が設けられているので、この溝部１６３，１６３によって、連通孔１６４ａに向かうインクの流路を確保することができる。すなわち、連通孔１６４ａから遠い箇所にある液体に対しても、この溝部１６３，１６３によって形成された流路によって、円滑に排出することができるので、膜弁１４０の開閉による圧力に対する応答性が良くなる。
【００５０】
（第２の実施形態）
図６は、本発明に係る第２の実施形態における差圧弁ユニットの拡大断面図である。
前述の第１の実施形態の差圧弁ユニット１３０に対して、第２の実施形態の差圧弁ユニット２３０は、図６に示すように、膜弁２４０が略Ｕ字型の屈曲部２４６を有している点が異なる。また、弁蓋２６０の膜弁２４０に対する対向面２６１において、屈曲部２４６に応じた凹部２６１ａを有している。
他の箇所は、前述の第１の実施形態と同様であり、同一部分には同一符号を付し、その説明は省略する。また、本実施形態においても、第１の実施形態と同様の作用効果を奏する。
【００５１】
次に、本発明の第１実施形態及び第２実施形態における差圧弁ユニット１３０，２３０の弁蓋の変形例を挙げて説明する。
図７は、弁蓋の変形例１の斜視図、図８は弁蓋の変形例２の斜視図、図９は弁蓋の変形例３の斜視図である。
【００５２】
図７に示す弁蓋３６０は、図４の弁蓋１６０と同様に膜弁１４０に対する対向面３６１は、膜弁の可動範囲に対応した形状、すなわち、すり鉢状になっている。さらに、対向面３６１には、直径方向に沿って４本の溝部３６３が設けられており、一つの溝部３６３と連通孔３６４ａとが交差するように配置されている。
【００５３】
図８に示す弁蓋４６０は、図４の弁蓋１６０と同様に膜弁１４０に対する対向面４６１は、膜弁の可動範囲に対応した形状、すなわち、すり鉢状になっている。さらに、対向面４６１には、複数の溝部４６３が設けられており、少なくとも１つの溝部４６３の中心線の延長線が連通孔４６４ａと交差するように配置されている。
【００５４】
図９に示す弁蓋５６０は、図４の弁蓋１６０と同様に膜弁１４０に対する対向面５６１は、膜弁の可動範囲に対応した形状、すなわち、すり鉢状になっている。さらに、対向面５６１には、連通孔５６４ａと交差しないが、その中心線の延長線が連通孔５６４ａと交差するように配置されている１本の溝部５６３が設けられている。
【００５５】
なお、第１実施形態及び第２実施形態における弁蓋１６０，２６０、上記変形例１〜３における弁蓋３６０，４６０，５６０において、それぞれの溝部１６３〜５６３は必ずしも直線状の溝でなくてもよく、例えば環状の溝などでもよい。
【００５６】
（第３の実施形態）
図１０は、本発明に係る第３の実施形態における差圧弁ユニットの拡大断面図である。
本実施の形態は第１部材が差圧弁ユニット収容部に設けられた例である。
前述の第１の実施形態と同一部分には同一符号を付し、その説明は省略する。
【００５７】
図１０に示すように、差圧弁ユニット６３０は、前述の第１の実施形態における弁蓋１６０と同様の構造を有する差圧弁ユニット収容部６６０と、これに挿入される膜弁１４０と、前述の第１の実施形態における差圧弁ユニット収容部１５０と同様の構造を有する蓋部材６５０と、膜弁１４０および差圧弁ユニット収容部６６０の間に付勢部材としてコイルバネ１３３とを有する。
なお、膜弁１４０は、前述の第１の実施形態と同一のものであり、その説明は省略する。
【００５８】
差圧弁ユニット収容部６６０には、膜弁１４０の周縁部１４１を保持する凹部６６６及びコイルバネ１３３を保持するバネ受け部６６７が設けられている。
また、差圧弁ユニット収容部６６０の膜弁１４０に対する対向面６６１は、膜弁の可動範囲に対応した形状、すなわち、すり鉢状になっており、膜弁１４０が圧力を受けて変形しても第１部材６６０と干渉しないようになっている。
この対向面６６１には、連通部６６４に通ずる連通孔６６４ａが設けられている。対向面６６１の中央部にはバネ受け部６６７が設けられているので、連通孔６６４ａはこの中央部から離れた位置に設けられており、この連通孔６６４ａに液体を流れやすくするために、対向面６６１の直径方向に沿って、前述の第１の実施形態の弁蓋１６０と同様に２本の溝部が設けられている。そして、２本の溝部のうちの一つが連通孔６６４ａと交差するように設けられている。
なお、上記２本の溝部は、前述の第１、２の実施形態及び変形例等における溝部と同様の溝などでもよい。
また、連通部６６４は、蓋部材６５０の通孔６５２のすぐ下流に配された下流側インク供給孔６７４とも連通する。
【００５９】
蓋部材６５０の膜弁１４０に対する対向面には、膜弁１４０が取り付けられる方向へ突出し、膜弁１４０が取り付けられる方向へ先細りする楔形状を有する環状突起６７６が、通孔６５２、６７５を囲む外周に沿って設けられている。
また、環状突起６７６よりも膜弁１４０の肉厚部１４２は柔らかいので、蓋部材６５０および膜弁１４０が差圧弁ユニット収容部６６０へ挿入されると、環状突起１７６の先端が膜弁１４０の肉厚部１４２に圧接されて食い込む。これにより、通孔６７５と連通した上流圧力室６７０が形成される。
【００６０】
また、蓋部材６５０の通孔６５２の周囲には、膜弁１４０側に突出し、膜弁１４０の本体側凸部１４５と当接する通孔凸部６５２ａが設けられる。
これにより、インクを供給しない場合において膜弁１４０の凸部１４５が通孔凸部６５２ａに当接して通孔６５２を確実に塞ぐことができる。
【００６１】
上流圧力室６７０は、通孔６７５を介して上流側インクタンク６７３と連通しており、上流側インクタンク６７３より差圧弁ユニット６３０へインクが供給される。
【００６２】
以上のように、本実施の形態は第１部材が差圧弁ユニット収容部に設けられた例であり、本実施の形態においても、第１の実施形態と同様の作用効果を奏する。
【図面の簡単な説明】
【００６３】
【図１】本発明の第１の実施形態の差圧弁ユニットを備えたインクカートリッジの分解斜視図である。
【図２】図１のインクカートリッジにおけるＡ−Ａ断面を示す断面図である。
【図３】図２の差圧弁ユニットの拡大断面図である。
【図４】図３の差圧弁ユニットの弁蓋を示す斜視図である。
【図５】本発明の第１の実施形態の差圧弁ユニットの弁の開閉状態を説明する図であり、（ａ）は差圧弁ユニットの弁が閉まっている状態、（ｂ）は差圧弁ユニットの弁が開いている状態を示す断面図である。
【図６】本発明に係る第２の実施形態における差圧弁ユニットの拡大断面図である。
【図７】本発明の第１の実施形態及び第２の実施形態における差圧弁ユニットの弁蓋の変形例１の斜視図である。
【図８】本発明の第１の実施形態及び第２の実施形態における差圧弁ユニットの弁蓋の変形例２の斜視図である。
【図９】本発明の第１の実施形態及び第２の実施形態における差圧弁ユニットの弁蓋の変形例３の斜視図である。
【図１０】本発明の第３の実施形態の差圧弁ユニットの拡大断面図である。
【符号の説明】
【００６４】
１００…インクカートリッジ（液体カートリッジ）、１０１…インク収容部（液体収容部）、１１０…インク供給部（液体供給部）、１２０…インクカートリッジ本体（液体カートリッジ本体）、１２１…外フィルム、１３０、２３０、６３０…差圧弁ユニット、１３３…コイルバネ（付勢部材）、１４０、２４０…膜弁、１５０、６６０…差圧弁ユニット収容部、１５２、１６８、６５２…通孔、１５２ａ、６５２ａ…通孔凸部、１６０、３６０、４６０、５６０…弁蓋、６５０…蓋部材、１６１、３６１、４６１、５６１…対向面、１６２、３６２、４６２、５６２…壁面当接部、１６３、３６３、４６３、５６３…溝部、１６４、６６４…連通部、１６４ａ、３６４ａ、４６４ａ、５６４ａ、６６４ａ…連通孔、１６５…下流側圧力室、１６７…下流側インク供給孔、１７０、６７０…上流圧力室
【図１】
2007185940.tif 000003
【図２】
2007185940.tif 000004
【図３】
2007185940.tif 000005
【図４】
2007185940.tif 000006
【図５】
2007185940.tif 000007
【図６】
2007185940.tif 000008
【図７】
2007185940.tif 000009
【図８】
2007185940.tif 000010
【図９】
2007185940.tif 000011
【図１０】
2007185940.tif 000012